(57)【要約】  コネクタシステムは、第２のコネクタと接続するように構成された複数の接続パスを有する第１のコネクタと、第２のコネクタの少なくとも１つの特徴を識別する情報を受信するように構成されたＲＦＩＤリーダとを含む。コネクタシステムは、動作回路網と、ディスプレイと、入力装置と、アクセサリに接続するように構成されたコネクタと、アクセサリ及び／又はアクセサリコネクタの少なくとも１つの特徴を識別する情報を受信するように構成されたＲＦＩＤリーダとを含む携帯電子機器で使用され、前記動作回路網は、上述の識別情報があることに応答して、あるいは無いことに応答して、携帯電子機器に対する設定を決定する。電子機器においてアクセサリを識別する方法は、電子機器においてアクセサリを識別するために、アクセサリと電子機器との間でＲＦＩＤ通信を使用する。
2011501259.tif 000002
【特許請求の範囲】
【請求項１】
第２のコネクタと接続するように構成された複数の接続パスを有する第１のコネクタと、
前記第２のコネクタの少なくとも１つの特徴を識別する情報を受信するように構成されたＲＦＩＤリーダと
を備えることを特徴とするコネクタシステム。
【請求項２】
前記第２のコネクタと、
前記第２のコネクタの少なくとも１つの特徴を識別するＲＦＩＤタグと
を更に備えることを特徴とする請求項１に記載のコネクタシステム。
【請求項３】
前記ＲＦＩＤタグは、前記ＲＦＩＤリーダに応答するように構成されたパッシブトランスポンダであることを特徴とする請求項２に記載のコネクタシステム。
【請求項４】
前記ＲＦＩＤタグは、前記ＲＦＩＤリーダからの入力に応答可能なアクティブトランスポンダであることを特徴とする請求項２に記載のコネクタシステム。
【請求項５】
動作回路網を含む電子デバイスを更に備え、前記第１のコネクタは前記動作回路網と動作可能に接続され、前記ＲＦＩＤリーダは前記動作回路網と動作可能に接続され、前記第２のコネクタの前記ＲＦＩＤタグから識別された少なくとも１つの特徴を出力することを特徴とする請求項２乃至４のいずれか１項に記載のコネクタシステム。
【請求項６】
前記接続パスは、電気信号を送出するように及び／又は電力接続を提供するように構成された電気接続パスであることを特徴とする請求項１乃至５のいずれか１項に記載のコネクタシステム。
【請求項７】
前記接続パスは、光信号を送出するように光学的に構成されていることを特徴とする請求項１乃至５のいずれか１項に記載のコネクタシステム。
【請求項８】
動作回路網を含む電子デバイスを更に備え、前記第１のコネクタは前記動作回路網と動作可能に接続され、前記ＲＦＩＤリーダは前記動作回路網と動作可能に接続され、前記第２のコネクタのＲＦＩＤタグから識別された少なくとも１つの特徴を出力することを特徴とする請求項１乃至７のいずれか１項に記載のコネクタシステム。
【請求項９】
前記電子デバイスは携帯電子機器を含み、前記第１のコネクタは、前記携帯電子機器で使用されるアクセサリがそれぞれ有する第２のコネクタと接続するように構成されたコネクタを備えることを特徴とする請求項８に記載のコネクタシステム。
【請求項１０】
前記携帯電子機器は移動電話機を含むことを特徴とする請求項９に記載のコネクタシステム。
【請求項１１】
前記動作回路網は、前記第２のコネクタに関連付けられるアクセサリを示すものとして識別される少なくとも１つの特徴に従って設定を調整するように構成されていることを特徴とする請求項８乃至１０のいずれか１項に記載のコネクタシステム。
【請求項１２】
前記動作回路網は、前記第１のコネクタが受信する信号、及び／又は、前記各アクセサリに関する前記動作回路網の機能を決定すべく、前記ＲＦＩＤリーダが受信する第２のコネクタの少なくとも１つの特徴を識別する情報、に応答するように構成されていることを特徴とする請求項８乃至１１のいずれか１項に記載のコネクタシステム。
【請求項１３】
前記動作回路網は、前記第２のコネクタの少なくとも１つの特徴を識別する情報を前記ＲＦＩＤリーダが受信していない場合に、デフォルト設定を行うように構成されていることを特徴とする請求項８乃至１２のいずれか１項に記載のコネクタシステム。
【請求項１４】
前記ＲＦＩＤリーダは近距離通信デバイスであり、近距離にあるＲＦＩＤトランスポンダであるＲＦＩＤと協働するように構成されていることを特徴とする請求項１乃至１３のいずれか１項に記載のコネクタシステム。
【請求項１５】
電子機器においてアクセサリを識別する方法であって、
前記電子機器において前記アクセサリを識別するために、前記アクセサリと前記電子機器との間でＲＦＩＤ通信を使用する工程を有することを特徴とする方法。
【請求項１６】
前記ＲＦＩＤ通信を使用する工程は、ＲＦＩＤリーダとＲＦＩＤトランスポンダとの間で近距離通信を使用する工程を有することを特徴とする請求項１５に記載の方法。
【請求項１７】
前記アクセサリの識別に基づいて前記電子機器の動作回路網における設定を決定する工程を更に有することを特徴とする請求項１５又は１６に記載の方法。
【請求項１８】
前記設定を決定する工程は、ＲＦＩＤトランスポンダからのＲＦＩＤ応答が認識できない場合、又は認識されるＲＦＩＤ応答がない場合に、デフォルト設定を確立する工程、あるいは維持する工程を有することを特徴とする請求項１７に記載の方法。
【請求項１９】
携帯電子機器であって、
動作回路網と、
ディスプレイと、
入力装置と、
アクセサリに接続するように構成されたコネクタと、
アクセサリ及び／又はアクセサリコネクタの少なくとも１つの特徴を識別する情報を受信するように構成されたＲＦＩＤリーダと、を備え、
前記動作回路網は、前記識別情報があることに応答して、あるいは前記識別情報がないことに応答して、前記携帯電子機器に対する設定を決定することを特徴とする携帯電子機器。
【請求項２０】
前記携帯電子機器は移動電話機を含み、前記入力装置はキーパッドを備えることを特徴とする請求項１９に記載の携帯電子機器。
【請求項２１】
前記コネクタと接続可能なアクセサリコネクタを備えるアクセサリと、
前記識別情報を提供するように前記ＲＦＩＤリーダと協働可能なＲＦＩＤタグと
を更に備えることを特徴とする請求項１９又は２０に記載の携帯電子機器。
【請求項２２】
前記ＲＦＩＤタグは、前記ＲＦＩＤリーダからの入力に応答可能なアクティブトランスポンダであることを特徴とする請求項２１に記載の携帯電子機器。
【請求項２３】
前記ＲＦＩＤタグは、前記ＲＦＩＤリーダに応答するように構成されたパッシブトランスポンダであることを特徴とする請求項２１に記載の携帯電子機器。
【請求項２４】
前記ＲＦＩＤリーダは近距離通信デバイスであり、近距離にあるＲＦＩＤトランスポンダであるＲＦＩＤと協働するように構成されていることを特徴とする請求項１９乃至２３のいずれか１項に記載の携帯電子機器。
【請求項２５】
前記動作回路網は、ＲＦＩＤタグからのＲＦＩＤ応答が認識できない場合、あるいは記載されるＲＦＩＤ応答がない場合に、デフォルト設定を行うように構成されていることを特徴とする請求項１９乃至２４のいずれか１項に記載の携帯電子機器。
【発明の詳細な説明】
【技術分野】
【０００１】
本発明は、一般に、電子機器の識別、並びに電子機器に接続されるアクセサリの識別又はアクセサリの特徴の識別に使用されるＲＦＩＤ及びその使用方法に関し、特に、携帯電子機器の識別及び携帯電子機器に接続されるコネクタ又は電子機器の識別のためにＲＦＩＤ機能を使用する方法に関する。
【背景技術】
【０００２】
移動電子デバイス及び／又は無線電子デバイスは、益々普及している。例えば移動電話、携帯メディアプレーヤ及び携帯ゲーム機は、現在広く使用されている。また、ある特定の種類の電子デバイスに関連する機能及びアクセサリは、益々多様化している。いくつかの例を挙げてみると、多くの電子デバイスは、カメラ機能、テキストメッセージ機能、インターネット閲覧機能、電子メール機能、ビデオ再生機能、オーディオ再生機能、画像表示機能及びハンズフリーヘッドセットインタフェース機能を有している。例示的なアクセサリとしては、ヘッドホン、音楽入力プレーヤ及び映像入力プレーヤ等が更に含まれる。
【０００３】
多くの移動電子デバイス及び／又は無線電子デバイスは、例えばハンズフリーヘッドセット、ヘッドホン等のアクセサリに接続されるオーディオコネクタを備える。電子デバイスのオーディオコネクタにより形成される電気回路及びアクセサリのアクセサリコネクタは、アクセサリ自体を識別するか又はアクセサリコネクタを識別してアクセサリを識別することにより、電子デバイスとアクセサリとの間に提供される他の信号が、例えば使用方法、処理方法、アドレスの指定方法を電子デバイスの動作回路網に示すこととなる。例えば、アクセサリが異なる場合、ＥＱレベル、帯域幅、振幅等の各々において、電子デバイスに対して異なる入力信号を出力する。同様に、電子デバイスの動作回路網の設定は、アクセサリから受信する入力信号の種々の特徴を考慮する必要がある。
【発明の概要】
【発明が解決しようとする課題】
【０００４】
一部の新しいコネクタは、アクセサリ又はアクセサリコネクタを識別する回路を含まず、これにより、アクセサリ等を識別及び／又は認識できないという問題がある。アクセサリを識別又は認識できないと、アクセサリ及び／又はアクセサリと電子デバイスとの協働動作を最大限に利用できないか、あるいは場合によっては電子デバイス側でアクセサリを使用することができなくなる。
【０００５】
一例として、携帯電子デバイスのオーディオコネクタの一部は、アクセサリのアクセサリコネクタの対応するピン又は電気パスと接続するために５つのピン又は５つの電気パスを使用しており、これらのピン／電気パスのうちの１つは、アクセサリを識別するために使用されている。しかし、携帯電子デバイスを小型化するために、オーディオコネクタに４つのピン又は４つの電気パスのみが配される場合、アクセサリを識別することができない。そのような電気コネクタのうちの１つは、３．５ミリメートルコネクタと呼ばれる。
【課題を解決するための手段】
【０００６】
簡単に説明すると、本発明の１つの態様に従って、ＲＦＩＤは、携帯電子デバイス等の電子デバイスに接続されるアクセサリを識別するために使用される。
【０００７】
本発明の１つの態様は、アクセサリ又はアクセサリのコネクタの少なくとも１つの特徴を識別するか、あるいは移動電話機等の電子デバイスに接続されるコネクタ自体を識別するためにＲＦＩＤタグを使用することに関する。
【０００８】
別の態様は、第２のコネクタと接続するように構成された複数の接続パスを有する第１のコネクタと、該第２のコネクタの少なくとも１つの特徴を識別する情報を受信するように構成されたＲＦＩＤリーダと、を備えるコネクタシステムに関する。
【０００９】
別の態様は上述のコネクタシステムに関し、第２のコネクタと、該第２のコネクタの少なくとも１つの特徴を識別するＲＦＩＤタグと、を更に備える。
【００１０】
別の態様は上述のコネクタシステムに関し、動作回路網を含む電子デバイスを更に備え、前記第１のコネクタは前記動作回路網と動作可能に接続され、前記ＲＦＩＤリーダは前記動作回路網と動作可能に接続され、前記第２のコネクタのＲＦＩＤタグから識別される少なくとも１つの特徴を出力する。
【００１１】
別の態様は上述のコネクタシステムに関し、接続パスは、電気信号の送出及び／又は電力接続を提供するように構成された電気接続パスである。
【００１２】
別の態様は上述のコネクタシステムに関し、接続パスは、光信号を送出するように光学的に構成されている。
【００１３】
別の態様は上述のコネクタシステムに関し、動作回路網を含む電子デバイスを更に備え、前記第１のコネクタは前記動作回路網と動作可能に接続され、前記ＲＦＩＤリーダは前記動作回路網と動作可能に接続され、前記第２のコネクタのＲＦＩＤタグから識別される少なくとも１つの特徴を出力する。
【００１４】
別の態様は上述のコネクタシステムに関し、前記電子デバイスには携帯電子機器が含まれ、前記第１のコネクタは、前記携帯電子機器で使用されるアクセサリの第２のコネクタをそれぞれ接続するように構成されたコネクタを含む。
【００１５】
別の態様は上述のコネクタシステムに関し、前記動作回路網は、第２のコネクタに関連付けられるアクセサリを示すものとして識別される少なくとも１つの特徴に従って設定を調整するように構成されている。
【００１６】
別の態様は上述のコネクタシステムに関し、前記動作回路網は、前記第１のコネクタが受信する信号及び／又は各アクセサリに関する前記動作回路網の機能を決定するために、前記ＲＦＩＤリーダが受信する第２のコネクタの少なくとも１つの特徴を識別する情報に応答するように構成されている。
【００１７】
別の態様は上述のコネクタシステムに関し、前記動作回路網は、第２のコネクタの少なくとも１つの特徴を識別する情報を前記ＲＦＩＤリーダが受信していない場合にデフォルト設定を行うように構成されている。
【００１８】
別の態様は上述のコネクタシステムに関し、前記携帯電子機器には移動電話機が含まれる。
【００１９】
別の態様は上述のコネクタシステムに関し、前記ＲＦＩＤタグは、前記ＲＦＩＤリーダに応答するように構成されたパッシブトランスポンダである。
【００２０】
別の態様は上述のコネクタシステムに関し、前記ＲＦＩＤタグは、前記ＲＦＩＤリーダからの入力に応答可能なアクティブトランスポンダである。
【００２１】
別の態様は上述のコネクタシステムに関し、前記ＲＦＩＤリーダは近距離通信デバイスであり、近距離にあるＲＦＩＤトランスポンダであるＲＦＩＤと協働するように構成されている。
【００２２】
別の態様は、電子機器におけるアクセサリを識別する方法に関し、電子機器においてアクセサリを識別するためにアクセサリと電子機器との間でＲＦＩＤ通信を使用する工程を有する。
【００２３】
別の態様は上述の方法に関し、前記ＲＦＩＤ通信を使用する工程は、ＲＦＩＤリーダとＲＦＩＤトランスポンダとの間で近距離通信を使用する工程を有する。
【００２４】
別の態様は上述の方法に関し、アクセサリの識別に基づいて電子機器の動作回路網における設定を決定する工程を更に有する。
【００２５】
別の態様は上述の方法に関し、前記設定を決定する工程は、ＲＦＩＤトランスポンダから認識されるＲＦＩＤ応答がない場合、デフォルト設定を確立する工程又は維持する工程を有する。
【００２６】
別の態様は、動作回路網と、ディスプレイと、入力装置と、アクセサリに接続するように構成されたコネクタと、アクセサリ及び／又はアクセサリコネクタの少なくとも１つの特徴を識別する情報を受信するように構成されたＲＦＩＤリーダと、を備える携帯電子機器に関し、前記動作回路網は、上述の識別情報がある場合に、または、ない場合に携帯電子機器に対する設定を決定する。
【００２７】
別の態様は上述の携帯電子機器に関し、移動電話機を備え、前記入力装置はキーパッドを備える。
【００２８】
別の態様は上述の携帯電子機器に関し、前記コネクタと接続可能なアクセサリコネクタを含むアクセサリと、前記ＲＦＩＤリーダと協働し識別情報を提供可能なＲＦＩＤタグと、を更に備える。
【００２９】
別の態様は上述の携帯電子機器に関し、前記ＲＦＩＤタグは、前記ＲＦＩＤリーダからの入力に応答可能なアクティブトランスポンダである。
【００３０】
別の態様は上述の携帯電子機器に関し、前記ＲＦＩＤタグは、前記ＲＦＩＤリーダに応答するように構成されたパッシブトランスポンダである。
【００３１】
別の態様は上述の携帯電子機器に関し、前記ＲＦＩＤリーダは近距離通信デバイスであり、近距離にある前記ＲＦＩＤトランスポンダであるＲＦＩＤと協働するように構成されている。
【００３２】
別の態様は上述の携帯電子機器に関し、前記動作回路網は、ＲＦＩＤタグからのＲＦＩＤ応答が認識できない場合、または、認識されるＲＦＩＤ応答がない場合、デフォルト設定を行うように構成されている。
【００３３】
以下の説明及び添付の図面を参照することにより、本発明の上記態様及び特徴、並びに更なる態様及び特徴が明らかになるであろう。説明及び図面において、本発明の好適な実施形態は、本発明の原理が採用されるいくつかの方法を示すものとして詳細に開示されているが、本発明の範囲はそれらに限定されるものではないことは理解されよう。本発明には、添付の請求の範囲の趣旨及び条件内に含まれる全ての変更、変形及び均等物が含まれる。
【００３４】
一実施形態に関して説明され且つ／又は例示される特徴は、１つ以上の他の実施形態において同一の方法又は同様の方法で使用されてもよく、且つ／あるいは他の実施形態の特徴と組み合わせて又はその代わりに使用されてもよい。
【００３５】
本明細書中で使用される場合の用語「備える」は、記載される特徴、数字、ステップ又は構成要素の存在を特定するものとして解釈され、１つ以上の他の特徴、数字、ステップ、構成要素又はそれらの集合の存在又は追加を除外するものではないことが強調されるべきである。
【００３６】
本発明の多くの態様は、以下の図面を参照することにより、より適切に理解される。図面の構成要素は必ずしも縮尺通りではなく、本発明の原理を明確に例示することに、より重点が置かれているものとする。本発明のいくつかの部分の例示及び説明を容易にするために、図面の対応する部分は大きさが誇張されており、例えば本発明に従って実際に製造される例示的なデバイスよりも他の部分に対して更に大きく示されている。本発明の１つの図面又は実施形態において示される要素及び特徴は、１つ以上の更なる図面又は実施形態において示される要素及び特徴と組み合わされてもよい。また、図中、同一の図中符号は、複数の図面にわたり対応する部分を示し、２つ以上の実施形態において同一の部分又は同様の部分を示すために使用されるものとする。
【図面の簡単な説明】
【００３７】
【図１】図１は、例えば移動電話機形式の携帯通信デバイスの正面を示す概略図である。
【図２】図２は、以下に説明する動作を実行する移動電話機の回路網を示す概略ブロック図である。
【図３】図３は、本発明の動作に係る例示的な論理を示す概略フローチャートである。
【発明を実施するための形態】
【００３８】
同義語「電子機器」及び「電子デバイス」は携帯無線通信機器を含む。以下において「移動無線端末」、「携帯電子機器」又は「携帯通信デバイス」と呼ばれる用語「携帯無線通信機器」は、例えば移動電話機、ページャ、通信機、電子オーガナイザ、パーソナルデジタルアシスタント（ＰＤＡ）、スマートフォン、携帯通信装置等、全ての機器を含む。
【００３９】
本明細書では、本発明の実施形態は主に移動電話機に関して説明する。しかし、本発明は、移動電話機に限定されることを意図したものではなく、例えばメディアプレーヤ、ゲーム機、ＰＤＡ及びコンピュータ等を含む任意の種類の適切な電子機器に関するものである。
【００４０】
はじめに、図１を詳細に参照すると、本発明の一実施形態に係る携帯通信デバイスは、一般に１０で示される。以下、携帯通信デバイス１０を移動電話機と呼ぶ。しかし、上述したように、「移動電話機」は、例えば上述のデバイス等の種々の他のデバイスを含む。例えば図１に示すような外観において、移動電話機は１種類の構造又は様式である。しかし、以下に更に詳細に説明するように、本発明の機能は、例えば開閉するケース（「フリップ型電話」と呼ばれる場合もある）を含む他の種類の移動電話機及び既存の又は今後登場するであろう種々の他の移動電話機において使用されてもよい。
【００４１】
移動電話機１０は、ケース（筐体）１１、スピーカ１２、マイク１３、液晶ディスプレイ、発光ダイオードディスプレイ又は他のディスプレイ等のディスプレイ１４、オン／オフスイッチ１５及び一般に１６で示される複数のキーを備える。キー１６は、種々の各機能を有する複数のキーを備える。例えば、キー２０は、ナビゲーションキー、選択キー又は任意の他の種類のキーであってもよく、キー２１、２２は、１つ以上のソフトスイッチ又は１つ以上のソフトキーであってもよく、キー２３はダイヤルキーであってもよい。一例として、ナビゲーションキーは、ディスプレイ１４上に示されるリストをスクロールし、ディスプレイ１４上のリストに示される１つ以上の項目等を選択するために使用される。ソフトスイッチ２１、２２は、各機能、例えば各ソフトスイッチに近接してディスプレイ１４上に示されるか又は一覧表示される機能、あるいはナビゲーションキー２０により選択される機能等を実行するように手動で操作される。ソフトキー２１、２２は、発呼、例えば無線電話回線に接続して電話番号等を送信するため、あるいは、着信電話における着呼、テキストメッセージ等の送信、終話及び／又は他の機能を実行するために使用される。
【００４２】
ダイヤルキー２３は、電話番号をダイヤルするため、あるいは英数字データ又は他のデータを入力するために使用される。スピーカ１２、マイク１３、ディスプレイ１４及びキー１６は、移動電話機が、一般に、例えば発呼、受呼及び／又は着呼、テキストメッセージの送受信、インターネット又は任意の他のネットワーク等のネットワークを介した種々の機能への接続及び種々の機能の実行、移動電話機間等での情報の送出等を行うのに通常使用される方法で使用され且つ通常使用される方法で機能する。これらは一例であり、既存の又は今後発生する他の使用例があってもよい。移動電話機１０は、例えばユーザがキーを押下することにより、あるいはスタイラス又は指をタッチセンサ画面等に接触させることにより提供されるか、あるいは着信電話又は受信テキストメッセージ等の外部ソースからの入力及びプログラミングに応答して提供される移動電話機の機能を実行する動作回路網２４を更に備える。
【００４３】
以下に更に詳細に説明するように、ＲＦＩＤタグは、アクセサリ又はアクセサリコネクタの少なくとも１つの特徴を識別するか、あるいは移動電話機１０に接続されるコネクタ自体を識別するために使用される。そのような識別を可能にするＲＦＩＤ方法を使用することにより、コネクタ３０及びアクセサリコネクタにおいて別個の接続パスを使用せずにそのような識別が可能になる。用語「ＲＦＩＤ」は、電波方式認識の省略表現である。ＲＦＩＤデバイスは市販されており、ＲＦＩＤリーダ及びＲＦＩＤタグ又はトランスポンダが含まれる。現在使用可能であり且つ今後使用可能になる様々な種類のＲＦＩＤデバイスは、本発明に従って使用される。
【００４４】
移動電話機１０は、コネクタ３０（第１のコネクタと呼ばれる場合もある）及びＲＦＩＤリーダ３１を備える。図１において、筐体１１の一部は、例示的な配置及び筐体内のコネクタ３０とＲＦＩＤリーダ３１との相対的な位置付けを示すために筐体を切断して示している。ＲＦＩＤリーダは動作回路網２４に接続される。ＲＦＩＤリーダ３１は、ＲＦＩＤリーダにより読み取られ且つ／又は認識可能な応答をＲＦＩＤタグから取得するために、信号をＲＦＩＤタグ（ＲＦＩＤトランスポンダと呼ばれる場合もある）に提供する従来のＲＦＩＤリーダである。例えばコネクタ３０は、種々のアクセサリが各アクセサリコネクタを介して接続されるオーディオコネクタ（オーディオジャックと呼ばれる場合もある）であってもよい。例示的なアクセサリ３２を図１に示す。アクセサリ３２は、アクセサリコネクタ３３（第２のコネクタと呼ばれる場合もある）及びアクセサリコネクタ又はアクセサリ上のＲＦＩＤタグ３４、あるいはアクセサリコネクタ又はアクセサリにおけるＲＦＩＤタグ３４を有する。例えばアクセサリコネクタ３３をコネクタ３０に差し込むことによりアクセサリコネクタ３３をコネクタ３０に接続する場合、ＲＦＩＤリーダがＲＦＩＤタグに信号を提供でき且つ移動電話機１０又は移動電話機に近接する他の機器の動作に干渉する無線周波数信号でローカルエリアが汚染されることなくＲＦＩＤタグからの応答を受信できるように、ＲＦＩＤタグはＲＦＩＤリーダ３１と近接するように位置付けられる。近距離という用語は、そのように動作するＲＦＩＤリーダとＲＦＩＤタグとの近傍関係を示すために使用される。
【００４５】
ＲＦＩＤリーダは、アクセサリ３２又はアクセサリコネクタ３３の識別を示す信号、情報等、あるいはアクセサリコネクタ及び／又はアクセサリの少なくとも１つの特徴を識別する情報を動作回路網に提供するように動作回路網２４に接続される。そのような識別情報に基づいて、動作回路網は、アクセサリ又はアクセサリコネクタで使用する設定を決定又は調整する。そのように決定される設定の例には、ピン配列、例えば２つのコネクタで接続される各回路に提供される信号又は提供されると期待される信号、動作回路網及び／又はアクセサリにおける増幅器の増幅設定、ＥＱ設定、帯域幅等が含まれる。動作回路網２４は、例えばアクセサリ又はアクセサリコネクタに関連付けられるＲＦＩＤタグがない場合、あるいはＲＦＩＤタグから受信する信号及び／又は識別情報がＲＦＩＤリーダ及び／又は動作回路網により識別されない場合、適切なＲＦＩＤ信号が不足している場合等の理由により、受信されない場合には、デフォルト設定又はデフォルト状態にするような機能を更に備える。従って、ＲＦＩＤ技術を介して動作回路網２４に提供される識別情報は、動作回路網の機能を決定する。
【００４６】
例示的なアクセサリは、ヘッドセット、モノヘッドホン又はステレオヘッドホン、外部増幅器及び／又はスピーカ等であってもよい。他の種類のアクセサリは、コネクタからの出力を受信及び／又はコネクタに入力を提供するものとしてコネクタ３０及び移動電話機１０に使用されてもよい。例示的なアクセサリは、電話通信、音楽の試聴、移動電話機のディスプレイ上に表示される映画のサウンドトラックの試聴等のために使用される。
【００４７】
ＲＦＩＤリーダ３１及びＲＦＩＤタグ３４を含む多くの種類のＲＦＩＤシステム３５が現存し、それらは本発明において使用されてもよい。ＲＦＩＤリーダ３１及びＲＦＩＤタグ３４を含むＲＦＩＤシステム３５は、パッシブＲＦＩＤタグ３４（パッシブトランスポンダと呼ばれる場合もある）を使用するパッシブＲＦＩＤタイプであってもよく、あるいはアクティブＲＦＩＤタグ３４（アクティブトランスポンダと呼ばれる場合もある）を使用するアクティブＲＦＩＤタイプであってもよい。パッシブＲＦＩＤタグにおいては、通常、別個の電源は存在せず、アクティブタグＲＦＩＤにおいては別個の電源が存在する。本発明には、既存の又は今後登場する種々のＲＦＩＤシステム３５が使用されるものとする。
【００４８】
ＲＦＩＤタグ３４は、十分な空間があればアクセサリコネクタ３３側にあってもよい。アクセサリコネクタ３３にＲＦＩＤタグ３４が含まれることにより、ＲＦＩＤタグ３４とＲＦＩＤリーダ３２との間隔は相対的に最小化され、例えばサイズ要件、信号強度要件及び起こり得る他の信号との干渉を最小限にするといった、考えられるいくつかの利点が提供される。
【００４９】
コネクタ３０及びアクセサリコネクタ３２は、様々な種類のコネクタであってもよい。そのようなコネクタの一例は、オーディオ信号を提供するために使用されるものであり、オーディオジャック又はオーディオコネクタと呼ばれる。オーディオ用及び／又は他の用途の他の種類のコネクタは、本発明に従って使用される。図１において、コネクタ３０とアクセサリコネクタ３３との間の点線３６で示される接続パスは、電線、端子、接触子、基板上の信号トレース等を含む各導電路であってもよい。そのような導電路は、電気信号及び／又は電力を接続及び伝導する。別の実施形態において、接続パスは、コネクタ３０とアクセサリコネクタ３３との間の光信号及び／又は他の部分を含む光信号を、例えばアクセサリ３２及び／又は動作回路網２４等に接続するように光学式であってもよい。必要に応じて、適切な電気−光信号変換回路網が、光接続の実施形態で使用するために含まれていてもよい。
【００５０】
本発明において、アクセサリは、アクセサリと関連付けられるＲＦＩＤリーダとＲＦＩＤトランスポンダ又はＲＦＩＤタグとの間でＲＦＩＤ通信を使用することにより、電子機器において識別される。上述したように、ＲＦＩＤリーダとＲＦＩＤタグとの間では近距離通信が使用される。アクセサリの識別に際して、電子機器の動作回路網は、識別されなかった場合、受信されるＲＦＩＤタグ信号がなかった場合又は受信される信号が認識されなかった場合には、デフォルト状態又はデフォルト設定にすることを決定する。
【００５１】
コネクタのピン、接続パス等の数が減少した場合、アクセサリ又はアクセサリコネクタを識別する適当な機能がないことは理解されよう。例えば、コネクタと組み合わせたＲＦＩＤシステム及び本発明において使用される方法は、そのような識別のために提供される。そのような識別により、アクセサリ又はアクセサリコネクタに従う電子デバイス、例えば移動電話機１０の動作回路網２４の設定が可能になるか、あるいは容易になる。
【００５２】
上記を要約すると、例えばＲＦＩＤリーダ３１は、オーディオコネクタ３０に近接する移動電話機１０に配置される。アクセサリコネクタ３３上には、移動電話機に取り付けられるか又は接続されるアクセサリ３２の種類を識別するＲＦＩＤタグ３４がある。例えばアクセサリコネクタ３３は、オーディオコネクタ３０に挿入されるか又は移動電話機１０のコネクタに装着される。移動電話機は、アクセサリコネクタを検出する際にＲＦＩＤタグを読み出そうとする。ＲＦＩＤリーダは短レンジにわたり調整されているため、ＲＦＩＤタグからアクセサリ識別子（ａｃｃＩＤ）を読み取る。不明なアクセサリがコネクタ３０に取り付けられる（挿入される）か又は装着されると、標準設定又はデフォルト設定が動作回路網２４等により適用される。不明なアクセサリは、移動電話機１０とは異なるブランドのもの、移動電話機、あるいはそのコネクタ３０、又は、動作回路網２４とは互換性のないもの等であってもよい。
【００５３】
本発明において、非常に少ないピンでコネクタを読み取って識別子を取得し、移動電話機のアクセサリのＲＦＩＤタグと組み合わせることにより、移動電話機及びアクセサリを有効的且つ効率的に使用することができる。識別用の十分なピンをコネクタで支持しないプラットフォームにおいて、アクセサリを広範に識別できる。例えば、アクセサリを識別する本発明を使用することにより、例えば種々の要件を満たし且つ識別されるアクセサリを適切に制御するとともに、適切なオーディオ性能を提供するために、例えば動作回路網２４、あるいは移動電話機及び／又はアクセサリの他の部分は、ＥＱレベル及びオーディオレベル等について適正に及び／又は有効に調整を行う。
【００５４】
図２に、移動電話機１０の動作回路網２４の概略的なブロックシステム図を示す。説明は例示的であり、移動電話機の種々の機能及び本明細書で詳細に説明する種々の機能を実行するために、動作回路網２４に加えて又はその代わりに他の種類の回路網が採用されてもよい。動作回路網は、動作回路網２４の種々の構成要素を制御する動作制御部４０を含む。入力モジュール４１は、例えば種々のキー１６からの入力等の入力を動作制御部４０に提供する。入力は、タッチスクリーンタイプのディスプレイの場合にはディスプレイ１４から提供されてもよく、入力モジュール４１により他の接続から移動電話機等に提供されてもよい。ディスプレイ１４は、指、スタイラス又は任意の他のデバイスを使用して触れられることにより、入力を入力モジュール４１に提供するタッチスクリーンであってもよく、そのように触れられることにより入力として動作制御部４０に提供されてもよい。動作制御部４０は、ディスプレイ１４上に示される情報、アイコン、画像等を判定するようにディスプレイ１４を操作する。
【００５５】
ＲＦＩＤリーダ３１は、動作制御部４０に接続され、動作制御部４０に応答して動作し、且つ／又はＲＦＩＤタグ３４から適切な入力を受信することに応答して動作する。電力は、動作制御部４０によりＲＦＩＤリーダ３１に提供される。例えばメモリ４３に格納される動作回路網２４のプログラムコードは、ＲＦＩＤリーダに通電を行い、必要に応じてＲＦＩＤタグ３１からの任意の返信信号を読み取るように動作制御部４０の動作を制御する。動作回路網及び／又は動作制御部４０における回路網及び／又はプログラミングは、ＲＦＩＤタグ３４から返信されるＲＦＩＤ信号によって認識される識別情報あるいはそれにより伝達される識別情報を判定する。認識される識別情報に従って、動作回路網２４ではアクセサリ３２を適正に使用するための設定を決定する。
【００５６】
一例として、動作制御部４０は、入力信号等の種々の入力に応答可能なマイクロプロセッサ、あるいは任意の他の電気デバイス又は電子デバイスであってもよく、出力信号等の種々の出力を提供する。動作制御部４０は、種々の機能を実行するための内部プログラミングを含むように内部にプログラムされるか又は製造されてもよい。しかし、多くの例において、移動電話機１０の動作制御部４０は、その機能を実行するように適切なプログラミング命令、コンピュータプログラム、論理等が動作制御部４０に提供されるメモリ４３と関連付けられていることが望ましい。メモリ４３は、各識別情報ごとに各アクセサリ及び動作回路網の各設定に関する情報を備えていてもよい。メモリ４３は、例えば多くの場合に従来の移動電話機におけるそのようなメモリの機能がそうであるように、電話番号及び移動電話機１０を使用して通話される通信相手、メッセージが送られる通信相手等に関する他の情報用の記憶装置、写真及び／又は他のデータの記憶装置を更に含んでいてもよい。メモリは、今後登場する他の目的のために使用されてもよい。メモリ４３は、読み出し専用メモリ、ランダムアクセスメモリ（ＲＡＭ）、フラッシュＲＡＭ、プログラマブル読み出し専用メモリ又は任意の他のメモリ素子であってもよい。動作回路網２４の動作を任意の他のデバイスと同期する時間、時計／カレンダ制御機能の時間及び／又はスクリーンセーバ機能の時間（持続時間）の長さを判定する時間の増分を示すタイミング信号を提供するために使用されるタイマ４４が、更に動作制御部４０と関連付けられている。
【００５７】
動作回路網２４は、移動電話機の一般的な機能である、マイク１３からの入力を受信し且つ出力をスピーカ１２に提供する通信モジュール４５を更に備える。アンテナ４６は、電話通信、データ通信、メッセージ等を示す信号を送受信するように通信モジュール４５に接続される。通信モジュール４５は、移動電話機の一般的な方法で、動作制御部４０の制御下で動作してもよい。更に通信モジュール４５は、着信電話又は受信テキストメッセージがあることを示す情報を動作制御部４０に入力してもよい。それに応答して、動作制御４０は、例えば着呼を示すように、テキストメッセージ又は写真等を示すように従来の方法でディスプレイ１４を動作させるようにしてもよい。
【００５８】
電源４７は、オン／オフスイッチ１５を介して動作回路網２４及び／又は移動電話機１０の他の部分に電力を提供する。電源は、従来のバッテリ又は電力の任意の他の供給源であってもよい。オン／オフスイッチ１５を閉じると、例えば電力は、本明細書で説明する種々の機能を実行するように動作回路網２４に提供される。要望に応じてスイッチ１５を閉じることにより、起動メッセージ又は起動表示を表示するようにディスプレイを一時的に動作させてもよく、スクリーンセーバ機能等の節電機能がディスプレイを切るように構成されてもよい。
【００５９】
図３において、コンピュータプログラムのフローチャート又は論理図を５０で示す。当該フローチャート５０は、本発明の一実施形態を実行する際に動作回路網２４で実行される機能を一例として示している。例えば図３において説明され且つコンピュータプログラム又は方法におけるステップを示す各「ブロック」に関して本明細書で説明する機能は、記載される種々のステップを実行するように適切なコンピュータ言語又は論理フォーマットで書き込まれるコンピュータプログラムとして動作回路網に提供される。当業者であれば、本明細書で例示し且つ説明するステップ及び機能を実行するためにそのようなプログラムを書き込むことが可能であろう。プログラムコードは、記憶媒体に格納されてもよいことは理解されるであろう。例えば、説明するようにプログラムコードは、ＲＦＩＤリーダ３１が受信するＲＦＩＤ信号を認識するコンピュータプログラムを含んでおり、それに応答することでアクセサリ又はアクセサリコネクタの識別結果を出力するようにしてもよい。
【００６０】
最初に、移動電話機１０等の携帯電子機器は、例えばオン−オフスイッチ又は電源スイッチ１５を閉じることによりブロック５１において電源が投入されると、ブロック５２において、動作回路網２４を含む移動電話機が初期化される。周知のように、初期化機能は、多くの種類の電子機器において実行され、機器の種々の機能及び性能等に依存する。ブロック５３において、動作回路網は、例えば接続されるアクセサリがなくても動作するため、移動電話機１０の通常の動作に対してデフォルト状態に設定される。ブロック５４において、アクセサリコネクタ３３がコネクタ３０に接続されたかが問い合わせされる。接続されなかった場合、ループ５５に後続するブロック５３ａにおいて、動作回路網２４は、上述のように、例えばアクセサリの装着に際して調整せずにデフォルトモードに設定されるか又はデフォルトモードが維持される。例えば動作回路網２４が、装着されるアクセサリ３２に基づいてデフォルトモードから任意の他のモードに変更されていない場合には、ブロック５３ａにおいてデフォルトモードが維持されるが、変更されている場合には、ループ５５に後続するブロック５３ａにおいて、動作回路網はデフォルトモードに設定される。アクセサリコネクタ３３がコネクタ３０に差し込まれているか又は装着されており、その後コネクタ３０から取り外されるか又は切断される場合、ループ５５及びブロック５５において、動作回路網がデフォルトモードに設定されるか又はデフォルトモードで維持されることが理解されるであろう。
【００６１】
問い合わせブロック又はステップ５４において、問い合わせに対する応答が肯定の場合、次にブロック５６において、許容可能なＲＦＩＤタグが認識されたかが問い合わせされる。例えば問い合わせは、移動電話機１０で使用される許容可能なアクセサリ３２又はコネクタ３３に関する一致情報を提供するものである。一致しない場合はループ５７及び５５に進み、一致する場合はブロック５８において、動作回路網２４がそのような一致情報に従って設定される。その後ルーチンは、ループ５９を介してブロック５４に戻り、上述した処理を繰り返す。
【００６２】
本発明の一部分は、ハードウェア、ソフトウェア、ファームウェア又はそれらの組合せで実現されることは理解されるであろう。上述した実施形態において、多くのステップ又は方法は、メモリに格納され且つ適切な命令実行システムにより実行されるソフトウェア又はファームウェアで実現されてもよい。例えば別の一実施形態のようにハードウェアで実現される場合、当技術分野において周知の以下の技術のうちのいずれか又はそれらの組合せで実現されるだろう。周知の技術とは、論理機能をデータ信号上で実現する論理ゲートを有する個別の論理回路、適切な組合せ論理ゲートを有する特定用途向け集積回路（ＡＳＩＣ）、プログラマブルゲートアレイ（ＰＧＡ）、フィールドプログラマブルゲートアレイ（ＦＰＧＡ）等を指すものとする。
【００６３】
フローチャートの任意の処理又は方法の説明は、特定の論理機能又は処理のステップを実現する１つ以上の実行可能な命令を含むモジュール、セグメント又はコードの一部分を示すものとして理解されてもよい。本発明の当業者により理解されるように、必要とされる機能性に依存して図示又は説明された順序とは異なる順序、例えば実質的に同時に又は逆の順序で機能が実行される別の実現例も本発明の好適な実施形態の範囲内に含まれるものとする。
【００６４】
例えば論理機能を実現する実行可能な命令の順序付けされたリストを考慮する図面のフローチャートに示す論理及び／又はステップは、命令実行システム、命令実行装置又は命令実行デバイス、例えばそれらから命令を取り出し且つその命令を実行するコンピュータに基づくシステム、プロセッサを含むシステム又は他のシステムにより使用されるか、あるいはそれらと組み合わされて使用される任意のコンピュータ可読媒体で具体化される。本明細書に関して、「コンピュータ可読媒体」は、命令実行システム、命令実行装置又は命令実行デバイスにより使用されるか、あるいはそれらと組み合わされて使用されるプログラムを包含するか、格納、通信、伝播又は転送する任意の手段であってもよい。コンピュータ可読媒体は、例えば電子、磁気、光学、電磁、赤外線又は半導体システム、装置、デバイス、あるいは伝播媒体であってもよいが、それらに限定されない。コンピュータ可読媒体のより具体的な例（非網羅的リスト）には、１つ以上の電線を有する電気的接続（電子）、携帯コンピュータディスケット（磁気）、ランダムアクセスメモリ（ＲＡＭ）（電子）、読み出し専用メモリ（ＲＯＭ）（電子）、消去可能プログラマブル読み出し専用メモリ（ＥＰＲＯＭ又はフラッシュメモリ）（電子）、光ファイバー（光学）及び携帯コンパクトディスク読み出し専用メモリ（ＣＤＲＯＭ）（光学）が含まれるであろう。尚、プログラムは、例えば紙又は他の媒体の光学走査を介して電子的に取り込まれ、必要に応じて適切にコンパイル、解釈又は処理されてコンピュータメモリに格納されるため、コンピュータ可読媒体は、プログラムが印刷される紙又は別の適切な媒体であってもよい。
【００６５】
上記説明及び添付の図面は、本発明の種々の特徴を示す。上述され且つ図示される種々のステップ及び手順を実行するために適切なコンピュータコードを当業者が準備することが理解されるであろう。上述の種々の端末、コンピュータ、サーバ、ネットワーク等は実質的にいかなる種類であってもよく、本明細書の開示に従ってそのような装置を使用し、本発明を実行するためにコンピュータコードが準備されることは更に理解されるであろう。
【００６６】
本発明の特定の実施形態が本明細書で開示される。本発明が他の環境において他の適応例を有してもよいことは、当業者には容易に認識されるであろう。実際に、多くの実施形態及び実現例が可能である。以下の請求の範囲は、本発明の範囲を上述の特定の実施形態に限定することを意図したものではない。また、「〜する手段」の任意の列挙は、要素のミーンズ−プラス−ファンクションの解釈を喚起することを意図する一方、「〜する手段」を特に列挙しない任意の要素は、請求の範囲が用語「手段」を含む場合であっても、ミーンズ−プラス−ファンクション要素として解釈されることを意図したものではない。
【００６７】
ある特定の好適な一実施形態又は複数の実施形態に関して本発明を図示し且つ説明したが、本明細書及び添付の図面を読み且つ理解することにより、当業者が等価な変更及び変形を考案することは明らかである。特に、上述の要素（構成要素、アセンブリ、デバイス、構成等）により実行される種々の機能に関して、特に指示のない限り、そのような要素を説明するために使用される用語（「手段」を参照することを含む）は、本明細書で例示する本発明の１つ又は複数の例示的な実施形態において機能を実行するものとして開示された構造と構造的に等価ではないが、説明される要素の特定の機能を実行する任意の要素に対応する（即ち、機能的に等価である）ものを意図したものである。また、例示されるいくつかの実施形態のうちの１つ以上の実施形態に関してのみ本発明の特定の特徴を記載したが、そのような特徴は、他の実施形態の１つ以上の他の特徴と組み合わされることにより、任意の所定の適応例又は特定の適応例に対して所望されるように且つそれにとって有利となるようにしてもよい。
【図１】
2011501259.tif 000003
【図２】
2011501259.tif 000004
【図３】
2011501259.tif 000005
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
アクセサリと関連付けられた第２のコネクタと接続するように構成された複数の接続パスを有する第１のコネクタと、
前記第１のコネクタが動作可能に接続された動作回路網を有する電子デバイスと、
前記第２のコネクタが前記第１のコネクタに接続されると、前記第２のコネクタの識別子を含む情報を受信するＲＦＩＤリーダであって、該受信した情報を前記動作回路網に提供するよう、前記動作回路網に動作可能に接続されたＲＦＩＤリーダと、を備え、
前記動作回路網は、前記受信した第２のコネクタの識別子に応じて、前記動作回路網及び／又は前記電子デバイスの設定を調整するよう構成され、前記第１のコネクタによって受信された信号及び／又は前記アクセサリに提供される信号に関する、前記動作回路網及び／又は前記電子デバイスの機能が、前記設定に基づいて決定されることを特徴とするコネクタシステム。
【請求項２】
前記第２のコネクタと、
前記第２のコネクタの少なくとも１つの特徴を識別するＲＦＩＤタグと
を更に備えることを特徴とする請求項１に記載のコネクタシステム。
【請求項３】
前記ＲＦＩＤタグは、前記ＲＦＩＤリーダに応答するように構成されたパッシブトランスポンダであることを特徴とする請求項２に記載のコネクタシステム。
【請求項４】
前記ＲＦＩＤタグは、前記ＲＦＩＤリーダからの入力に応答可能なアクティブトランスポンダであることを特徴とする請求項２に記載のコネクタシステム。
【請求項５】
前記ＲＦＩＤリーダは、前記第２のコネクタの前記ＲＦＩＤタグから前記第２のコネクタの識別子を含む情報を受信することを特徴とする請求項１乃至４のいずれか１項に記載のコネクタシステム。
【請求項６】
前記接続パスは、電気信号を送出及び／又は電力接続を提供するように構成された電気接続パスであることを特徴とする請求項１乃至５のいずれか１項に記載のコネクタシステム。
【請求項７】
前記接続パスは、光信号を送出するように光学的に構成されることを特徴とする請求項１乃至５のいずれか１項に記載のコネクタシステム。
【請求項８】
前記電子デバイスは携帯電子機器を含み、前記第１のコネクタは、前記携帯電子機器で使用されるアクセサリがそれぞれ有する第２のコネクタと接続するように構成されたコネクタを備えることを特徴とする請求項１乃至７のいずれか１項に記載のコネクタシステム。
【請求項９】
前記携帯電子機器は移動電話機を含むことを特徴とする請求項８に記載のコネクタシステム。
【請求項１０】
前記動作回路網は、前記第２のコネクタの少なくとも１つの特徴を識別する情報を前記ＲＦＩＤリーダが受信していない場合に、デフォルト設定を行うように構成されていることを特徴とする請求項１乃至９のいずれか１項に記載のコネクタシステム。
【請求項１１】
前記ＲＦＩＤリーダは近距離通信デバイスであり、前記ＲＦＩＤリーダに対して近距離でＲＦＩＤトランスポンダと関連してＲＦＩＤと協働するように構成されていることを特徴とする請求項１乃至１０のいずれか１項に記載のコネクタシステム。
【請求項１２】
電子機器においてアクセサリを識別する方法であって、
前記電子機器に前記アクセサリを接続する工程と、
前記接続の後に、前記電子機器に接続された前記アクセサリを識別するために、前記アクセサリと前記電子機器との間のＲＦＩＤ通信を使用する工程と、
前記アクセサリの識別結果に基づいて、前記電子機器の動作回路網における設定を調整する工程と、を有し、
前記アクセサリから受信した信号及び／又は前記アクセサリに提供する信号に関する、前記動作回路網の機能を、前記設定に基づいて決定することを特徴とする方法。
【請求項１３】
前記ＲＦＩＤ通信を使用する工程は、ＲＦＩＤリーダとＲＦＩＤトランスポンダとの間で近距離通信を使用する工程を有することを特徴とする請求項１２に記載の方法。
【請求項１４】
前記設定を調整する工程は、ＲＦＩＤトランスポンダからのＲＦＩＤ応答が認識できない場合、又は認識されるＲＦＩＤ応答がない場合に、デフォルト設定を確立する工程、あるいは維持する工程を有することを特徴とする請求項１２または１３に記載の方法。
【請求項１５】
携帯電子機器であって、
動作回路網と、
ディスプレイと、
入力装置と、
アクセサリに接続するように構成されたコネクタと、
前記コネクタが、前記アクセサリ及び／又は前記アクセサリコネクタに接続されると、前記アクセサリ及び／又は前記アクセサリコネクタの識別子を含む情報を受信するＲＦＩＤリーダと、を備え、
前記動作回路網は、前記識別子を含む情報の受信に応答して、あるいは前記識別子が欠落した情報の受信に応答して、前記携帯電子機器のための設定を調整するよう構成され、前記コネクタによって受信された信号及び／又は前記アクセサリに提供される信号に関する、前記動作回路網の機能が、前記設定に基づいて判定されることを特徴とする携帯電子機器。
【請求項１６】
前記携帯電子機器は移動電話機を含み、前記入力装置はキーパッドを備えることを特徴とする請求項１５に記載の携帯電子機器。
【請求項１７】
前記コネクタと接続可能なアクセサリコネクタを備えるアクセサリと、
前記識別情報を提供するように前記ＲＦＩＤリーダと協働可能なＲＦＩＤタグと
を更に備えることを特徴とする請求項１５又は１６に記載の携帯電子機器。
【請求項１８】
前記ＲＦＩＤタグは、前記ＲＦＩＤリーダからの入力に応答可能なアクティブトランスポンダであることを特徴とする請求項１７に記載の携帯電子機器。
【請求項１９】
前記ＲＦＩＤタグは、前記ＲＦＩＤリーダに応答するように構成されたパッシブトランスポンダであることを特徴とする請求項１７に記載の携帯電子機器。
【請求項２０】
前記ＲＦＩＤリーダは近距離通信デバイスであり、前記ＲＦＩＤリーダに対して近距離でＲＦＩＤトランスポンダと関連してＲＦＩＤと協働するように構成されていることを特徴とする請求項１５乃至１９のいずれか１項に記載の携帯電子機器。
【請求項２１】
前記動作回路網は、ＲＦＩＤタグからのＲＦＩＤ応答が認識できない場合、あるいは記載されるＲＦＩＤ応答がない場合に、デフォルト設定を行うように構成されていることを特徴とする請求項１５乃至２０のいずれか１項に記載の携帯電子機器。
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
アクセサリと関連付けられた第２のコネクタと接続するように構成された複数の接続パスを有する第１のコネクタと、
前記第１のコネクタが動作可能に接続された動作回路網を有する電子デバイスと、
前記第２のコネクタが前記第１のコネクタに接続されると、前記第２のコネクタの識別子を含む情報を受信するＲＦＩＤリーダであって、該受信した情報を前記動作回路網に提供するよう、前記動作回路網に動作可能に接続されたＲＦＩＤリーダと、を備え、
前記動作回路網は、前記受信した第２のコネクタの識別子に応じて、前記動作回路網及び／又は前記電子デバイスの設定を調整するよう構成され、前記第１のコネクタによって受信された信号及び／又は前記アクセサリに提供される信号に関する、前記動作回路網及び／又は前記電子デバイスの機能が、前記設定に基づいて決定されることを特徴とするコネクタシステム。
【請求項２】
前記第２のコネクタと、
前記第２のコネクタの少なくとも１つの特徴を識別するＲＦＩＤタグと、を更に備え、
前記ＲＦＩＤタグは、前記ＲＦＩＤリーダに対して応答するよう構成されたパッシブトランスポンダ、または、前記ＲＦＩＤリーダからの入力に応答するアクティブトランスポンダであることを特徴とする請求項１に記載のコネクタシステム。
【請求項３】
前記電子デバイスは携帯電子機器を含み、前記第１のコネクタは、前記携帯電子機器で使用されるアクセサリがそれぞれ有する第２のコネクタと接続するように構成されたコネクタを備えることを特徴とする請求項１または２に記載のコネクタシステム。
【請求項４】
前記携帯電子機器は移動電話機を含むことを特徴とする請求項３に記載のコネクタシステム。
【請求項５】
前記動作回路網は、前記第２のコネクタの少なくとも１つの特徴を識別する情報を前記ＲＦＩＤリーダが受信していない場合に、デフォルト設定を行うように構成されていることを特徴とする請求項１乃至４のいずれか１項に記載のコネクタシステム。
【請求項６】
電子機器においてアクセサリを識別する方法であって、
前記電子機器に前記アクセサリを接続する工程と、
前記接続の後に、前記電子機器に接続された前記アクセサリを識別するために、前記アクセサリと前記電子機器との間のＲＦＩＤ通信を使用する工程と、
前記アクセサリの識別結果に基づいて、前記電子機器の動作回路網における設定を調整する工程と、を有し、
前記アクセサリから受信した信号及び／又は前記アクセサリに提供する信号に関する、前記動作回路網の機能を、前記設定に基づいて決定することを特徴とする方法。
【請求項７】
前記ＲＦＩＤ通信を使用する工程は、ＲＦＩＤリーダとＲＦＩＤトランスポンダとの間で近距離通信を使用する工程を有し、前記設定を調整する工程は、前記ＲＦＩＤトランスポンダからのＲＦＩＤ応答が認識できなった場合、または、ＲＦＩＤ応答がなかった場合に、デフォルト設定を確立する、または維持する工程を有することを特徴とする請求項６に記載の方法。
【請求項８】
前記携帯電子機器は、
前記動作回路網と、
ディスプレイと、
入力装置と、を備え、
前記第１のコネクタは、アクセサリに接続するように構成され、
前記ＲＦＩＤリーダは、前記コネクタが、前記アクセサリ及び／又は前記アクセサリコネクタに接続されると、前記アクセサリ及び／又は前記アクセサリコネクタの識別子を含む情報を受信するように構成され、
前記動作回路網は、前記識別子を含む情報の受信に応答して、あるいは前記識別子が欠落した情報の受信に応答して、前記携帯電子機器のための設定を調整するよう構成され、前記第１のコネクタによって受信された信号及び／又は前記アクセサリに提供される信号に関する、前記動作回路網の機能が、前記設定に基づいて決定されることを特徴とする請求項３または４に記載のコネクタシステム。
【請求項９】
前記入力装置はキーパッドを備えることを特徴とする請求項８に記載のコネクタシステム。
【請求項１０】
前記第１のコネクタと接続可能なアクセサリコネクタを備えるアクセサリと、
前記識別情報を提供するように前記ＲＦＩＤリーダと協働可能なＲＦＩＤタグと
を更に備えることを特徴とする請求項８又は９に記載のコネクタシステム。
【国際調査報告】
2011501259.tif 000006
2011501259.tif 000007